(57)【要約】【課題】ハンガーラックのベースフレームの改良構造を提供する。【解決手段】前後端にそれぞれキャスターを有する左右一対のベースフレーム本体４０と、前記ベースフレーム本体４０の側面間は、底ポール５０により互いに連接されると共に、その頂面端４０ａには、それぞれ、上下方向に伸縮可能な側柱６０を連接し、前記伸縮可能な側柱６０上端間には、ハンガーポール７０が懸架された構成のハンガーラックであって、前記ベースフレーム本体４０は、プラスチック製の二つのアーチ型形状を呈し、長手中央部位に縦（厚さ）方向を厚くした広幅取付部４１１を形成してなり、該取付部４１１の頂端面４０ａには側柱６０の下端部が、また側面には底ポール５０の端部が挿入連結される連結用の縦方向のスロット４１２および横方向のスロット４１３とを設けた構成とした。【選択図】図４
0003107201.tif 000002
【実用新案登録請求の範囲】
【請求項１】
前後端にそれぞれキャスターを有する左右一対のベースフレーム本体と、前記ベースフレーム本体の側面間は、底ポールにより互いに連接されると共に、その頂面端には、それぞれ、上下方向に伸縮可能な側柱を連接し、前記伸縮可能な側柱上端間には、ハンガーポールが懸架された構成のハンガーラックであって、
前記ベースフレーム本体は、プラスチック製の二つのアーチ型形状を呈し、長手中央部位に縦（厚さ）方向を厚くした広幅取付部を形成してなり、該取付部の頂端面には側柱の下端部が、また側面には底ポールの端部が挿入連結される連結用の縦方向のスロットおよび横方向のスロットとを設けたことを特徴とする。
【考案の詳細な説明】
【技術分野】
【０００１】
本考案は、ハンガーラックに関するものであって、特に、包装及び運送コストが節約でき、且つ、組み立てが容易で、外観が美しいハンガーラックに関するものである。
【背景技術】
【０００２】
従来の組み立て式ハンガーラックは多様化しているが、多くは二つのフレームを有し、それらのフレーム間に底ポールを連接し、頂端はそれぞれ、上方向に垂直に、伸縮可能な側柱を連接している。更に、側柱間に、ハンガーポールを設置して、衣服を掛けるようになっている。
以下、図１により、従来のハンガーラックについて説明する。
図１を参照すると、従来公知のベースフレーム本体１０はプラスチック材質で一体成形され、ベースフレーム本体１０の頂端面１０ａは、円筒状の側柱２０の基端部が挿入する挿入孔１１１が形成されている。従来のベースフレーム本体１０の縦（厚さ）方向は、厚さが狭い寸法の設計を採用しているため、頂端面１０ａに挿入孔１１１が穿設された後、横方向の挿入孔を形成する場合に、縦横の挿入孔が前記縦方向の挿入孔と交差状態となるため、前記側柱１１１及び底ポール３０を挿入する充分な深さの挿入孔が形成できない。
したがって、従来においては、ベースフレーム本体１０の横方向に連結する底ポール３０は、管状の連結ヘッド１１２をベースフレーム本体１０の横面に設置して連結するようにしている。
また、図２で示されるように、従来公知のベースフレーム本体１０’は、頂端面１０ａ及び側面に形成した挿入孔に、外周面に突出した雄ねじを有する連結ベース管１１３の下端を夫々連結し、該連結ベース管１１３に前記側柱２０と底ポール３０の端部を挿入し、内面に雌ねじを形成したキャップ１４，１１４により連結するようにしている。
前記各従来例におけるベースフレーム本体の１０，１０’前後末端部には、それぞれ、キャスター１２が軸設され、ハンガーラックの移動を容易にしている。
【０００３】
しかしながら、従来のハンガーラックは、左右一対のベースフレーム本体及び側柱並びに底ポールを購入者が自分で組み立てるような分解設計になっており、生産終了後に製品を包装する時、ベースフレーム本体１０，１０’から外に向かって突設する連結ヘッド管１１２，１１３が大きな包装空間を占有し、大量の包装材を必要として、包装材コストを増加させるだけでなく、運送空間、運送コストを増加させ、また、従来公知のベースフレーム本体１０，１０’は、厚さ方向が同寸法の設計を採用しているため、外観形状が悪く、付加価値を向上させることが出来ないという欠点があった
【考案の開示】
【考案が解決しようとする課題】
【０００４】
本考案は、ハンガーラックのベースフレーム構造の改良を提供することを目的とする。
【課題を解決するための手段】
【０００５】
本考案は、前後端にそれぞれキャスターを有する左右一対のベースフレーム本体と、前記ベースフレーム本体の側面間は、底ポールにより互いに連接されると共に、その頂面端には、それぞれ、上下方向に伸縮可能な側柱を連接し、前記伸縮可能な側柱上端間には、ハンガーポールが懸架された構成のハンガーラックであって、前記ベースフレーム本体は、プラスチック製の二つのアーチ型形状を呈し、長手中央部位に縦（厚さ）方向を厚くした広幅取付部を形成してなり、該取付部の頂端面には側柱の下端部が、また側面には底ポールの端部が挿入連結される連結用の縦方向のスロットおよび横方向のスロットとを設けたことを特徴とする。
【考案の効果】
【０００６】
本考案は、縦方向のスロットと横方向のスロットが凹孔槽の設計を採用したので、従来公知のベースフレーム本体に突出させて形成した連結ヘッド管の構造と比較して、効果的に包装空間を縮小し、包装及び運送コストを削減し、組み立て・分解が迅速且つ容易で、更には、美的外観をも達成できるという利点がある。
【考案を実施するための最良の形態】
【０００７】
以下、添付図面を参照して、この考案の好適な実施の形態を詳細に説明する。
【実施例】
【０００８】
図３は、本考案のハンガーラックの実施例を示す全体斜視図で、図４はベースフレーム本体の要部斜視図で、図５はベースフレーム本体の要部断面図である。
本考案のハンガーラックは、従来公知のものとほぼ同様に形成されるもので、前後端にそれぞれ、キャスター４２を有する一対のベースフレーム本体４０と、二つのベースフレーム本体４０の側面間は、底ポール５０により互いに連接され、その頂端面４０ａには、それぞれ入れ子式に嵌合した上下方向に伸縮可能な側柱６０の基端部が連接されている。
前記各伸縮可能な側柱６０の上端部間には、ハンガーポール７０が連結具を介して懸架され、衣服を掛けるようになっている。
【０００９】
前記ベースフレーム本体４０は、二つのアーチ型形状を有し、長手方向の中央部には縦（厚さ）方向を厚くした広幅取付部４１１を形成し、該取付部４１１の頂端面４０ａには側柱６０の基端部が、また側面には底ポールの端部が挿入連結される連結用の縦方向のスロット４１２および横方向のスロット４１３が設けられ、それぞれ金属製の側柱６０と底ポール５０を緊密に挿入連接している。
【００１０】
上述から分かるように、本考案のベースフレーム本体４０の中央部は、縦（厚さ）方向の厚い広幅取付部４１１としているため、該部位は縦方向に十分な大きさの面積を有するため、縦方向のスロット４１２と横方向のスロット４１３と互いに干渉しない位置に形成することができ、底ポール５０及び側柱６０のそれぞれの端部がベースフレーム本体４０のスロットに充分な深さに挿入連接することができる。
したがって、従来のように底ポール５０及び側柱６０を連結するためのベースフレーム本体４０の側面及び頂端面４０ａに、外方に突出した連結部品を省くことができるため、べースフレームの占める空間を小さくでき、包装及び運送コストを減少させ、且つ組み立てを容易にする。
【図面の簡単な説明】
【００１１】
【図１】従来公知のハンガーラックの要部斜視図である。
【図２】従来公知の異なるハンガーラックの要部斜視図である。
【図３】本考案のハンガーラックの実施例を示す全体斜視図である。
【図４】本考案のハンガーラックフレーム部の要部分解図である。
【図５】本考案のハンガーラックフレーム部の縦断面図である。
【符号の説明】
【００１２】
１０，１０’，４０…ベースフレーム本体
１１１…挿入孔
１１２，１１３…連結ヘッド管
１２，４２…キャスター
１１４…キャップ
２０，６０…側柱    
３０，５０…底ポール
４１１…広幅取付部
４１２…縦方向のスロット
４１３…横方向のスロット
７０…ハンガーポール
【図１】
0003107201.tif 000003
【図２】
0003107201.tif 000004
【図３】
0003107201.tif 000005
【図４】
0003107201.tif 000006
【図５】
0003107201.tif 000007
【手続補正書】
【提出日】平成16年9月16日(2004.9.16)
【手続補正１】
【補正対象書類名】実用新案登録請求の範囲
【補正対象項目名】全文
【補正方法】変更
【補正の内容】
【実用新案登録請求の範囲】
【請求項１】
前後端にそれぞれキャスターを有する左右一対のベースフレーム本体と、前記ベースフレーム本体の側面間は、底ポールにより互いに連接されると共に、その頂面端には、それぞれ、上下方向に伸縮可能な側柱を連接し、前記伸縮可能な側柱上端間には、ハンガーポールが懸架された構成のハンガーラックであって、
前記ベースフレーム本体は、プラスチック製の二つのアーチ型形状を呈し、長手中央部位に縦（厚さ）方向を厚くした広幅取付部を形成してなり、該取付部の頂端面には側柱の下端部が、また側面には底ポールの端部が挿入連結される連結用の縦方向のスロットおよび横方向のスロットとを設けたことを特徴とするハンガーラック。